(57)【要約】【課題】  収納された蒸気等を発生する電気機器等を使用するに当たり、蒸気により発生する収納家具内の結露を確実に防ぐことができると共に、電気機器を複数配設しても、各電気機器が相互に悪影響を与え合うことがなく、しかも、複数の収納部を設けた場合であっても、簡単な構成で蒸気等による結露を防止することができる収納家具を提供する。【解決手段】  前面に開口を有する収納箱体１を側板２で仕切って設けた複数の収納部３と、側板２を貫通して設けられ排気手段４１を備えた排気路４と、を備える。排気路４に各収納部３に臨む吸気口４２と収納部３外部に臨む排出口４３とを設ける。そして排気路４を備えた収納部３の全部又は一部に吸放湿性を有する吸放湿材５を備えた。【選択図】        図１
2010104729.tif 000002
【特許請求の範囲】
【請求項１】
前面に開口を有する収納箱体を側板で仕切って設けた複数の収納部と、側板を貫通して設けられ排気手段を備えた排気路と、を備え、排気路に各収納部に臨む吸気口と収納部外部に臨む排出口とを設け、排気路を備えた収納部の全部又は一部に吸放湿性を有する吸放湿材を備えて成ることを特徴とする収納家具。
【請求項２】
前記吸気口に開閉自在な開閉蓋を設けて成ることを特徴とする請求項１に記載の収納家具。
【請求項３】
前記排気路の内部の全部又は一部に吸放湿材を備えて成ることを特徴とする請求項１又は請求項２に記載の収納家具。
【発明の詳細な説明】
【技術分野】
【０００１】
本発明は、収納家具に関するものであり、詳しくは、使用に際し蒸気や熱気を発生する電気製品等を収納する収納家具に関するものである。
【背景技術】
【０００２】
従来から、炊飯器やジャーポット等のような使用中に蒸気や熱気（以下、蒸気等という）を発生する電気機器を収納する収納家具として、例えば、特許文献１により示すものが知られている。この特許文献１により示すものは、収納家具に設けられた一つの収納部に蒸気等を発生させる電気機器を収納し、この電気機器を使用して発生する蒸気によって生成される結露を防ぐために、単に、収納部の内面に蒸気吸収材を配設したものである。
【特許文献１】特開２００５−１９８８０７号公報
【発明の開示】
【発明が解決しようとする課題】
【０００３】
しかし、この特許文献１に示す収納家具においては、炊飯器のような大量の水蒸気を排出する電気機器を使用した場合、使用により発生する大量の水蒸気が収納部内に滞留し、この滞留した水蒸気の一部は蒸気吸収材により吸収できるものの、大部分の蒸気が吸収することができず、収納部内には水蒸気が滞留したままの状態となり、結果として、結露が大量に発生してしまい、結露を確実に防止できるものとはなっていなかった。
【０００４】
しかも、この特許文献１に示す収納家具は、上記のように、単一の収納部に炊飯器とジャーポットとを並べて収納するようになっているので、炊飯器の使用により発生する蒸気等によって、近接して設置してあるジャーポットが傷んでしまったり、また、ジャーポットの使用により発生する蒸気等によって、近接して設置してある炊飯器が傷んでしまったり、等といったように、一方の使用により発生する蒸気等によって、近接して載置された他方の電気機器に悪影響を与えてしまうという問題が生じていた。
【０００５】
本発明は、上記従来の問題に鑑みてなされたものであり、その目的とするところは、収納された蒸気等を発生する電気機器等を使用するに当たり、蒸気により発生する収納家具内の結露を確実に防ぐことができると共に、電気機器を複数収納しても、各電気機器が相互に悪影響を与え合うことがなく、しかも、複数の別個の収納部を設けた場合であっても、簡単な構成で蒸気等による結露を防止することができる収納家具を提供することにある。
【課題を解決するための手段】
【０００６】
上記課題を解決するために請求項１に係る発明にあっては、前面に開口を有する収納箱体１を側板２で仕切って設けた複数の収納部３と、側板２を貫通して設けられ排気手段４１を備えた排気路４と、を備え、排気路４に各収納部３に臨む吸気口４２と収納部３外部に臨む排出口４３とを設け、排気路４を備えた収納部３の全部又は一部に吸放湿性を有する吸放湿材５を備えて成ることを特徴とするものである。
【０００７】
このように構成したことで、収納家具に収納された蒸気等を発生する電気機器７を使用したとしても、電気機器７から発生した大部分の蒸気等は、排気路４を介して収納部３外部へ排出することができると共に、電気機器７から発生した蒸気のうち収納部３外部へ排出できなかった蒸気により発生する結露は、吸放湿材５により吸収することができる。しかも、複数の電気機器７を収納するに当たり、収納部３に収納した一つの電気機器７とは異なる別の電気機器７を、その収納部３とは側板２を介して設けられた別の収納部３に収納することができるので、一つの電気機器７を使用し蒸気や熱気が発生した場合であっても、別の収納部３に収納された別の電気機器７に悪影響を与えることがない。その上、このように複数の収納部３を設けた場合であっても、各収納部３に吸気口４２を備える排気路４を側板２を貫通して設けているため、収納部３ごとに排気手段４１を設けた場合と比較して、簡単な構成で電気機器７から発生する蒸気や熱気を防ぐことができる。
【０００８】
また、請求項２に係る発明にあっては、請求項１に係る発明において、前記吸気口４２に開閉自在な開閉蓋６を設けて成ることを特徴とするものである。
【０００９】
このように構成したことで、請求項１に係る効果に加えて、各収納部３に収納された電気機器７等を使用しない場合には開閉蓋６を閉塞しておくことができるから、排気路４に吸気口４２を収納部３ごとに設けていても、電気機器７を使用していない収納部３の吸気口４２から、排気された蒸気等が逆流してしまうのを防止することができる。また、排気の不要な収納部３における排気を抑止するから、排気の必要がある収納部３の排気効率を向上させることもできる。
【００１０】
また、請求項３に係る発明にあっては、請求項１又は請求項２に係る発明において、前記排気路４の内部の全部又は一部に吸放湿材５を備えて成ることを特徴とするものである。
【００１１】
このように構成したことで、請求項１又は請求項２に係る効果に加えて、排気手段４１を停止した後の、排気路４の内部に残留した蒸気によって、結露が発生することを防止できる。つまり、排気路４から収納部３に結露による水滴が漏れ出すことが無くなり、また、結露による水滴に塵や埃が付着して、排気路４内が汚れてしまうのを防止することができる。
【発明の効果】
【００１２】
本発明によれば、収納家具に蒸気を発生する電気機器を収納した場合であっても、確実に結露を防止することができ、また、収納家具に複数収納した電気機器等が相互に悪影響を及ぼし合うことが無くなる。さらに、異なる別の収納部を設けても、簡単な構成で確実に結露を防止することができる。その結果、コストを抑えつつ、収納家具や電気機器等が受ける傷みや腐食を防ぐことができるものである。
【発明を実施するための最良の形態】
【００１３】
以下、本発明について添付図面に基づいて説明する。
【００１４】
本実施形態の収納家具は、図１及び図２に示すように、収納物を挿通する開口を前面に有する箱状の収納箱体１と、収納箱体１を左右に仕切るように垂直方向に立設された側板２と、収納箱体１を側板２により仕切ることで形成された収納部３と、側板２を貫通して設けられた排気路４と、を備えている。
【００１５】
収納箱体１は、正面視長矩形状を成す箱体から成るものであり、前方に向けて開口が設けられている。この収納箱体１の背面と上面は、吸放湿性を有する吸放湿材５から成るもので形成されており、本実施形態における吸放湿材５は、板の表面に珪藻土を積層塗布して構成されている。
【００１６】
この収納箱体１の内部には、正面視で水平方向に収納部３が並ぶように、側板２が垂直方向に立設される。この側板２は、収納箱体１の開口の長手方向の長辺を複数に分割するように、上下方向に設けられる。この側板２の前端部は、収納箱体１の前方の開口縁部と面一となるように設けられている。このように、収納箱体１内部を側板２で仕切ることで、複数の収納部３が形成されている。
【００１７】
この収納部３は、上述したように、正面視で水平方向に複数（本実施形態では４箇所）並んで形成されている。この収納部３の上下方向の略中間部位には、炊飯器７ａ等の電気機器７を載置しておくことができる棚板３１が設けられており、この棚板３１の上部の空間を上部収納部３２とし、棚板３１の下部の空間を下部収納部３３としている。この棚板３１の前端は、収納箱体１の開口縁部よりも収納箱体１内側に位置している。
【００１８】
排気路４は、収納箱体１の長手方向（水平方向）の全長に亘って形成される。つまり、各収納部３を形成する側板２の上部の奥部に排気路４が通る矩形状の穴を形成し、収納箱体１の長手方向の全長に亘って形成された排気路４の一構成部材である前板４４及び底板４５を、収納箱体１の上部の奥部に固着一体化することで、排気路４が構成されており、この排気路４は水平方向に並んで形成された各収納部３を貫通するようにして設けられる。また、図２に示すように、排気路４の底板４５は、吸放湿材５によって構成されている。さらに、このような排気路４には、各収納部３に臨んで吸気口４２が設けられている。
【００１９】
この吸気口４２は、収納部３における排気路４の水平方向の略中間部に収納部３ごとに設けられており、矩形状の開口により形成されている。この吸気口４２には、開閉自在な開閉蓋６が設けられている。本実施形態における開閉蓋６は、開閉自在なガラリ６ａから成るものであり、詳しくは、水平方向に長い複数の羽板６１ａが上下に並ぶように平行して設けられ、羽板６１ａの側断面における略中間を中心として回動させることで、開閉自在とするものである。この開閉蓋６（本実施形態ではガラリ６ａ）は、開閉制御手段に接続されており、この開閉接続手段によって開閉が制御されている。この開閉制御手段は、各収納部３に設けられた湿度センサーと温度センサーによって検出された検出値によって、各収納部３に収納された電気機器７が使用されているか否かを判定し、その判定結果に基づいて開閉蓋６を開閉するものであり、湿度センサーが所定の値（本実施形態では９０％）よりも大きい値を検出すると、収納された電気機器７が使用状態であると判定して、開閉蓋６を開放するように制御し、また、温度センサーが所定の値（本実施形態では４０℃）よりも大きい値を検出すると、同様に、収納された電気機器７が使用状態であると判定して、開閉蓋６を開放するように制御している。なお、本実施形態においては、湿度センサーが所定の値よりも小さい値を検出し、且つ、温度センサーが所定の値よりも小さい値を検出している場合にのみ、収納された電気機器７が未使用状態であると判断して、開閉蓋６を閉塞するように制御するようになっている。
【００２０】
また、排気路４には、収納部３外部に臨む排出口４３が設けられている。
【００２１】
本実施形態における排出口４３は、収納部３外部である収納家具の外部において、室外へ配管される排気管と接続されている。つまり、本実施形態における排気路４は、排出口４３を介して室外に連通するようになっている。なお、図中において排気管は省略している。
【００２２】
さらに、この排気路４には排気手段４１が設けられている。本実施例における排気手段４１は、排気ファン４１ａから構成されるものであり、収納部３外部にある排出口４３近傍に設けられている。この排気ファン４１ａを旋回させることによって、排気路４内の排気を通流させて、該排気路４内の排気を排出口４３を介して室外（収納家具外）に至らせることができる。そして、その結果、排気路４内が減圧することになり、負圧状態となった排気路４は、排気路４に設けられた吸気口４２を介して、収納部３内の蒸気や熱気や臭気等を吸込むようになっている。
【００２３】
このように構成された収納家具には、炊飯器７ａや電気ポット７ｂ等のような使用中に蒸気を発生する電気機器７等を収納することができる。詳しくは、収納部３に設けられた棚板３１に、収納部３ごとに電気機器７を載置することができる。例えば、図１に示すように、炊飯器７ａを載置した収納部３とは側板２を挟んで隣接する収納部３に、電気ポット７ｂを載置して収納するようにする。この電気機器７を収納した状態で、該電気機器７を使用した場合について以下説明する。
【００２４】
収納した電気機器７を使用して蒸気が発生し始めると、収納箱体１の上板の下面や、排気路４の底板４５の下面に、この電気機器７から発生した蒸気が付着し始める。このとき、この収納部３の湿度が上昇すると共に、電気機器７から発生する熱気によって収納部３の温度が上昇する。収納部３内に配設された湿度センサー又は／及び温度センサーがこの湿度の上昇又は／及び温度の上昇を検出し、開閉制御手段によって、収納された電気機器７が使用状態にあると判定され、その電気機器７が収納された収納部３にある吸気口４２の開閉蓋６を開放させる。なお、電気機器７が使用されていなかったり、電気機器７が収納されていなかったりする他の収納部３においては、温度センサー及び湿度センサーによる検出値が所定の値以下であるため、吸気口４２の開閉蓋６は閉塞状態となっている。
【００２５】
収納部３ごとに設置された吸気口４２の開閉蓋６のいずれかが開放すると、排気路４の排出口４３に設けられた排気ファン４１ａが旋回し始めるようになっている。
【００２６】
このように、吸気口４２の開閉蓋６が開放し、排気ファン４１ａが旋回し始めると、図２に示すように、電気機器７から発生する蒸気や熱気の大部分は、吸気口４２を介して排気路４内に入り、そのまま収納家具の外部（本実施形態においては、室外）に放出される。なお、電気機器７から発生する蒸気の大部分は排気路４内に吸入されるものの、一部の水蒸気は収納箱体１の上板の下面や排気路４の底板４５の下面に付着してしまう。しかし、収納箱体１の上板や排気路４の底板４５は、吸放湿材５により形成されているから、このような一部の水蒸気であれば、十分に吸収することができる。つまり、これにより、収納箱体１内部の結露の発生を確実に防ぐことができる。
【００２７】
上述のように、排気路４の一部である底板４５を吸放湿材５によって形成しているから、排気路４内においても蒸気を吸収することができる。つまり、排気ファン４１ａを停止させた後に排気路４内に残留した蒸気によって発生した水滴が、排気路４から収納部３に漏れ出すことが無くなり、また、この水滴に塵や埃が付着して、排気路４内が汚れてしまうのを防止することができるという利点を有している。
【００２８】
また、電気機器７を使用していない収納部３の吸気口４２を閉塞するように制御しているから、排気路４を通る蒸気や熱気が、使用していない電気機器７を収納する収納部３の吸気口４２から漏れ出すことがなくなる。そのうえ、このように排気が必要でない収納部３の吸気口４２は閉塞するようになっているため、排気が必要な吸気口４２における排気効率を向上させることができる。さらに言えば、排気ファン４１ａを停止すれば、室外から排気管内を通ってゴキブリ等の虫が侵入することがあるが、電気機器７を使用していない収納部３の吸気口４２を閉塞するようにしているから、そのような虫の侵入も防止することができる。
【００２９】
さらに、本発明の収納家具は、複数の電気機器７を収納するに当たり、収納部３に収納した一の電気機器７（本実施形態では、炊飯器７ａ）とは異なる別の電気機器７（本実施形態では、電気ポット７ｂ）を、その収納部３とは側板２を介して設けられた別の収納部３に収納することができるので、一の電気機器７（本実施形態では、炊飯器７ａ）を使用し蒸気や熱気が発生した場合であっても、側板２を介して設けられた別の収納部３に収納された別の電気機器７（本実施形態では、電気ポット７ｂ）に悪影響を与えることがない。
【００３０】
次に、他の実施形態について図３に基づいて説明する。なお、本実施形態は図１及び図２に示す実施形態と大部分において同じであるため、同じ部分においては同符号を付して説明を省略し、主に異なる部分について説明する。
【００３１】
本実施形態の収納家具は、排気路４に設けられた排出口４３が収納部３外部である室内に臨んで設置されている点で上記実施形態とは異なっている。
【００３２】
本実施形態の排出口４３は、排気路４の上部の収納箱体１の上板の一部に開口を設けて、その開口に排気ファン４１ａを設置して設けてある。これにより、この排気ファン４１ａを作動して旋回させることによって、排気路４内の排気を外部に排出し、その結果、収納部３の蒸気や熱気等を収納部３の外部に排出することができる。
【００３３】
次に、他の実施形態について図４に基づいて説明する。なお、本実施形態は図１及び図２に示す実施形態と大部分において同じであるため、同じ部分においては同符号を付して説明を省略し、主に異なる部分について説明する。
【００３４】
本実施形態の収納家具は、第１の実施形態の収納家具の収納部３ごとに開閉可能な開閉扉８を設けたものである。
【００３５】
この開閉扉８は、収納箱体１の前面の開口に、収納部３ごとを閉塞するようにして設けられている。詳しく説明すると、この収納箱体１の長手方向に沿う方向に並んで（すなわち、本実施例においては４箇所に並んで）開閉扉８が設けられており、開閉扉８のいずれか一方の長辺に設けられた枢支部により枢支して連結されている。つまり、収納部３ごとに開閉扉８が開閉自在に設けられている。また、開閉扉８の枢支部の設けられた長辺とは反対側の長辺の上部近傍に把持部８１が設けられており、開閉扉８を容易に開けることができるようになっている。また、開閉扉８において、その把持部８１が設けられている側の長辺の上部と下部には、係止部（図示せず）が設けられていると共に、その係止部に対応する収納箱体１の開口縁辺の上下の部位には被係止部（図示せず）が設けられており、開閉扉８が閉塞したときには、被係止部に係止部が係合するようになっている。
【００３６】
このように収納箱体１には開閉扉８を設けてあるため、電気機器７を収納した後に開閉扉８を閉塞しておくことができ、シンプルなすっきりとした外観で且つ良好な外観を呈することができる。なお、この開閉扉８を閉塞して電気機器７を使用した場合であっても、上述のように、発生した蒸気を収納家具の外部に排出する動作を行なうため、収納家具の内部が高湿度になったり、電気機器７の熱気が篭ったりすることがなく、収納家具や電気機器７を傷めることがない。
【００３７】
また、本実施形態では、排出口４３は室外に連通するように設けたが、第２の実施形態のように、収納部３外部である室内に臨んで排出口４３を設けるようにしても勿論よい。
【００３８】
以上、本発明の収納家具を説明したが、吸放湿材５は、板の表面に珪藻土を積層塗布して構成されたものに限定されず、収納部３の湿度が高いときには吸湿し、その後収納部３が乾燥したときに放湿するようなものであれば、本発明の吸放湿材５として好適に使用することができる。
【００３９】
上記実施形態における開閉蓋６は、ガラリ６ａにより構成されているが、特に限定されるものではない。また、開閉蓋６は開閉制御手段により開閉を制御しているが、手動により開閉するものであってもよいのは勿論である。また、排気路４に備えた排気手段４１は、排気ファン４１ａに限定されるものではない。なお、排気手段４１について、すべての収納部について十分に排気できるように、その排気能力を設計したものであれば、上記実施形態における開閉蓋６を設置しないようにすることも可能である。
【００４０】
また、上記実施形態の収納部３の一部に吸放湿材５を設けた例について説明したが、収納部３全部を吸放湿材５により構成してもよく、また、排気路４の底板４５を吸放湿材５により形成しているが、排気路４の全部を吸放湿材５により形成しても勿論よい。
【００４１】
なお、上記実施形態では、蒸気や熱気を排出する電気機器７を収納家具に収納する例に基づいて説明したが、蒸気や熱気を排出しない電気機器を収納することもできるし、さらに言えば、収納物は特に電気機器に限定されるものではない。
【図面の簡単な説明】
【００４２】
【図１】本発明の一実施形態の正面図であり、炊飯器が使用中である場合を説明する図である。
【図２】同上の側断面図である。
【図３】他の実施形態の側断面図である。
【図４】さらに他の実施形態の側断面図である。
【符号の説明】
【００４３】
１      収納箱体
２      側板
３      収納部
３１    棚板
３２    上部収納部
３３    下部収納部
４      排気路
４１    排気手段
４１ａ  排気ファン
４２    吸気口
４３    排出口
４４    前板
４５    底板
５      吸放湿材
６      開閉蓋
６ａ    ガラリ
６１ａ  羽板
７      電気機器
７ａ    炊飯器
７ｂ    電気ポット
８      開閉扉
８１    把持部
【図１】
2010104729.tif 000003
【図２】
2010104729.tif 000004
【図３】
2010104729.tif 000005
【図４】
2010104729.tif 000006